(57)【要約】      （修正有）【課題】汚物の回収から持ち運びを経てトイレ等の下水設備に流すまで、手を汚すことなく保持することができ、また回収した汚物をトイレ等の下水設備に流す際にも詰まることなく、スムーズに、確実に流すことができる汚物取り袋を提供する。【解決手段】プラスチック製袋体１０とプラスチック製袋体を内側に収納配置した紙製ジャケット体２０とからなり、且つ内側のプラスチック製袋体と外側の紙製ジャケット体とは、分離可能な点接着３０により相互の位置決めがなされるように構成されている。内側の袋体に手を入れて外側のジャケット体で汚物を掴んで取ることにより、手を汚すことなく保持できる。【選択図】図１
0003227362.tif 000002
【実用新案登録請求の範囲】
【請求項１】
プラスチック製袋体と該プラスチック製袋体を内側に収納配置した紙製ジャケット体とからなり、且つ内側のプラスチック製袋体と外側の紙製ジャケット体とは、分離可能な点接着により相互の位置決めがなされるように構成されていることを特徴とする汚物取り袋。
【請求項２】
汚物取り袋は、紙製ジャケット体に設けた切り離し用のミシン目を介して複数個が連なった連続体として構成されており、前記ミシン目で切り離されることで、個々の個別体としての汚物取り袋になるように構成されていることを特徴とする請求項１に記載の汚物取り袋。
【請求項３】
複数個の連なった連続体としての汚物取り袋は、収納ケース内に収納されると共に収納ケースの取出口から順次連なって引き出されてくるように構成されており、引き出されてきた連続体を紙製ジャケット体のミシン目で切り離すことで、個々の個別体としての汚物取り袋になるように構成されていることを特徴とする請求項２に記載の汚物取り袋。
【請求項４】
個々の個別体としての汚物取り袋は、プラスチック製袋体の開口した上端が紙製ジャケット体の上端から上方に露出された状態で且つ紙製ジャケット体の下端がプラスチック製袋体の下端から下方に延長された状態に構成されていることを特徴とする請求項１〜３の何れかに記載の汚物取り袋。
【考案の詳細な説明】
【技術分野】
【０００１】
本考案は汚物取り袋に関し、より詳しくは、犬や猫等のペットの糞やその他の汚物等をつかみ取るのに適した汚物取り袋に関する。
【背景技術】
【０００２】
犬や猫等のペットの糞の始末は、汚物を扱うことから、汚物が手等に付着しないようにしたいという要望があり、また現場から素早く且つ簡単に取り除きたいという要望がある。そして更に現場から取り除いた汚物を容易に運んで簡単に最終処理したいという要望もある。
また汚物の始末は介護や医療現場、その他のあらゆるところ生じる問題であり、課題である。
【先行技術文献】
【特許文献】
【０００３】
【特許文献１】特開２０００−３４００１号公報
【考案の概要】
【考案が解決しようとする課題】
【０００４】
上記特許文献１は汚物回収袋（１）に関し、水分散性の紙（３）の外袋と水溶性フィルム（２）の内袋からなる二重袋を開示している。この汚物回収袋（１）では、汚物を掴んで回収した後に、そのまま２重袋のままトイレ等に流すことができる。
しかしながら特許文献１の汚物回収袋（１）では、２重袋をそのままトイレ等に流すことから、紙が２重で多くなり、流し難いという問題がある。特に水分散性の紙（３）は水に溶けるのに時間がかかる問題がある。一方、水分散性の紙（３）を薄くするなどして水に溶け易くすると、汚物を回収した際に汚物の浸透時間が短くなり、手を汚すなどの問題が生じる。
【０００５】
そこで本考案は上記従来技術の問題を解消し、汚物の回収から持ち運びを経てトイレ等の下水設備に流すまでの十分な時間、何ら手を汚すことなく保持することができ、また回収した汚物をトイレ等の下水設備に流す際にも何ら詰まることなく、スムーズに、確実に流すことができる汚物取り袋の提供を課題とする。
【課題を解決するための手段】
【０００６】
本考案の汚物取り袋は、プラスチック製袋体と該プラスチック製袋体を内側に収納配置した紙製ジャケット体とからなり、且つ内側のプラスチック製袋体と外側の紙製ジャケット体とは、分離可能な点接着により相互の位置決めがなされるように構成されていることを第１の特徴としている。
【０００７】
また本考案の汚物取り袋は、上記第１の特徴に加えて、汚物取り袋は、紙製ジャケット体に設けた切り離し用のミシン目を介して複数個が連なった連続体として構成されており、前記ミシン目で切り離されることで、個々の個別体としての汚物取り袋になるように構成されていることを第２の特徴としている。
【０００８】
また本考案の汚物取り袋は、上記第２の特徴に加えて、複数個の連なった連続体としての汚物取り袋は、収納ケース内に収納されると共に収納ケースの取出口から順次連なって引き出されてくるように構成されており、引き出されてきた連続体を紙製ジャケット体のミシン目で切り離すことで、個々の個別体としての汚物取り袋になるように構成されていることを第３の特徴としている。
【０００９】
また本考案の汚物取り袋は、上記第１〜第３の何れかの特徴に加えて、個々の個別体としての汚物取り袋は、プラスチック製袋体の開口した上端が紙製ジャケット体の上端から上方に露出された状態で且つ紙製ジャケット体の下端がプラスチック製袋体の下端から下方に延長された状態に構成されていることを第４の特徴としている。
【考案の効果】
【００１０】
請求項１に記載の汚物取り袋によれば、内側のプラスチック製袋体の中に手を入れて、外側の紙製ジャケット体で汚物を掴んで取ることができる。そして手はプラスチック製袋体の中に隔離された状態であるので、汚物の回収から持ち運びを経てトイレ等の下水設備に流すまでの十分な時間、何ら手を汚すことなく保持することができる。
また内側のプラスチック製袋体と外側の紙製ジャケット体とは、分離可能な点接着により相互の位置決めがなされるように構成されているので、プラスチック製袋体と外側の紙製ジャケット体とが、使用前に分離して外れてしまうことなく、汚物を掴み易い状態を保って、相互の重なり具合を良好に維持させておくことができる。
【００１１】
請求項２に記載の汚物取り袋よれば、上記請求項１に記載の構成による作用効果に加えて、汚物取り袋は、紙製ジャケット体に設けた切り離し用のミシン目を介して複数個が連なった連続体として構成されており、前記ミシン目で切り離されることで、個々の個別体としての汚物取り袋になるように構成されている。従って汚物取り袋は、保管中は連続体として保管することができるので、省スペースでコンパクトに保管することができる。そして使用に際しては、必要な数だけを切り離して所持すればよく、便利に使用することができる。
【００１２】
請求項３に記載の汚物取り袋によれば、上記請求項２に記載の構成による作用効果に加えて、複数個の連なった連続体としての汚物取り袋は、収納ケース内に収納されると共に収納ケースの取出口から順次連なって引き出されてくるように構成されており、引き出されてきた連続体を紙製ジャケット体のミシン目で切り離すことで、個々の個別体としての汚物取り袋になるように構成されているので、複数個の汚物取り袋を連続体としてケース内に収めて、コンパクトに保管することができると共に、必要な分だけ取り出し、切り取って使用に供することができるので非常に便利である。
【００１３】
請求項４に記載の汚物取り袋によれば、上記請求項１〜３の何れかに記載の構成による作用効果に加えて、個々の個別体としての汚物取り袋は、プラスチック製袋体の開口した上端が紙製ジャケット体の上端から上方に露出された状態に構成されているので、暗いところ等においても、容易に、スムーズに手をプラスチック製袋体に入れ易い。また紙製ジャケット体の下端がプラスチック製袋体の下端から下方に延長された状態に構成されているので、この下方に延長された紙製ジャケット体の部分を利用することで、余裕をもって汚物を掴み取ることができる。また下方に延長された部分を有することで、該部分が適当に折れ曲がり、よって紙製ジャケット体に適当に底が付いていなくても、汚物が内側のプラスチック製袋体に付着したりすることなく汚物を掴み取ることができる。更に延長された部分を折り返すことで、紙製ジャケット体の厚みを十分にして掴み取りを行うことができる。
【図面の簡単な説明】
【００１４】
【図１】本考案の実施形態に係る汚物取り袋の個別体の概略図である。
【図２】本考案の実施形態に係る汚物取り袋の連続体の概略図である。
【図３】本考案の実施形態に係る汚物取り袋の連続体をケースに収納した状態を示し、（Ａ）はティッシュボックスのように紙箱に収納した状態を示す図、（Ｂ）はポケットタイプとしてティッシュ袋のようにプラスチック袋に収納した状態を示す図である。
【図４】本考案の実施形態に係る汚物取り袋の使用方法の例を説明する図である。
【考案を実施するための形態】
【００１５】
以下の図面を参照して、本考案の実施形態に係る汚物取り袋を説明し、本考案の理解に供する。しかし、以下の説明は本考案の実用新案登録請求の範囲に記載の考案を限定するものではない。
【００１６】
図１を参照して、実施形態に係る個別体からなる汚物取り袋１（１ａ）は、プラスチック製袋体１０と該プラスチック製袋体１０を内側に収納配置した紙製ジャケット体２０とからなる。
前記プラスチック製袋体１０は、プラスチック製とすることで水分を通さない水密としている。また軟質の透明フィルム状のものを用いる。しかし必ずしも透明である必要はない。プラスチック材料としては、ビニル樹脂の他、ポリエチレン、ポリプロピレン等の軟質樹脂を用いることができる。
前記紙製ジャケット体２０は、紙製とすることで、トイレ等の下水施設に流す際に水に溶けるものを用いている。紙の種類は、水に溶けるものであれば特に限定されるものではない。
紙製ジャケット体２０は、その内側にプラスチック製袋体１０を収納配置するため、筒状に構成されている。
【００１７】
内側に配置されたプラスチック製袋体１０と外側の紙製ジャケット体２０とは、分離可能な点接着３０により相互の位置決めがなされている。
即ち、内側に配置されるプラスチック製袋体１０の開口した上端１１が紙製ジャケット体２０の開口した上端２１から上方に露出された状態となり、紙製ジャケット体２０の下端２２がプラスチック製袋体１０の下端１２から下方に延長された状態に位置決めされるように、プラスチック製袋体１０と紙製ジャケット体２０とが分離可能に点接着３０されている。
前記のようにプラスチック製袋体１０の開口した上端１１が紙製ジャケット体２０の上端２１から上方に露出された状態とされているので、暗いところ等においても、容易に、スムーズに手をプラスチック製袋体１０に入れ易い。
また紙製ジャケット体２０の下端２２がプラスチック製袋体１０の下端１２から下方に延長された状態にされているので、この下方に延長された紙製ジャケット体２０の部分を利用することで、余裕をもって汚物Ｏを掴み取ることができる。
また下方に延長された部分を有することで、該部分が適当に折れ曲がり、よって紙製ジャケット体２０に適当に底が付いていなくても、汚物Ｏが内側のプラスチック製袋体１０に付着したりすることなく汚物Ｏを掴み取ることができる。
更に延長された部分を折り返すことで、紙製ジャケット体２０の厚みを十分にして掴み取りを行うことができる。
【００１８】
また上記点接着３０により、プラスチック製袋体１０と紙製ジャケット体２０とが使用前に分離して外れてしまう不都合が確実に防止される。と同時に、プラスチック製袋体１０と紙製ジャケット体２０との相互の位置関係を使用に最適な状態に維持しておくことができる。そして最終的には、プラスチック製袋体１０から汚物Ｏを包んだ紙製ジャケット体２０だけを取り外して、トイレ等の下水設備に流すことができる。
点接着３０は、前記プラスチック製袋体１０の材質と紙製ジャケット体２０の材質を考慮して、適当な接着剤を選択することなる。
【００１９】
図２を参照して、実施形態に係る連続体からなる汚物取り袋１（１ｂ）を説明する。この連続体からなる汚物取り袋１（１ｂ）は、複数の個別体からなる汚物取り袋１（１ａ）が連続的に連なった状態のものである。具体的には、紙製ジャケット体２０に設けた切り離し用のミシン目２３を介して複数個が連なっている。前記ミシン目２３で切り離されることで、個々の個別体としての汚物取り袋１（１ａ）になる。
前記紙製ジャケット体２０に設ける各ミシン目２３の位置は、内側に収納配置された各プラスチック製袋体１０の上端１１よりも下方の位置に設ける。下方の位置にミシン目２３を設けることで、連続する紙製ジャケット体２０をミシン目２３で切り離すと、プラスチック製袋体１０の開口した上端１１が紙製ジャケット体２０の上端２１から上方に露出された状態となり、且つ紙製ジャケット体２０の下端２２がプラスチック製袋体１０の下端１２から下方に延長された状態となって、個別体の汚物取り袋１（１ａ）になる。
紙製ジャケット体２０のミシン目２３を、プラスチック製袋体１０の上端１１よりもどれくらい下方の位置に設けるかは、プラスチック製袋体１０の上端１１が上方へ露出する露出量と紙製ジャケット体２０の下端２２がプラスチック製袋体１０の下端１２よりも下方へ延長する延長量を考慮して決めることができる。例えば５〜１５ｃｍとすることができる。
【００２０】
図３を参照して、複数個の連なった連続体としての汚物取り袋１（１ｂ）は、収納ケース４０内に収納すると共に、収納ケース４０の取出口４１から順次連なって引き出されてくるように構成してもよい。図３（Ａ）は収納ケース４０としてティッシュボックス状の紙箱４０ａに収納した状態を示し、図３（Ｂ）はポケットタイプとしてティッシュ袋状のプラスチック袋４０ｂに収納した状態を示す。収納ケース４０（４０ａ、４０ｂ）の大きさや形により、連続体としての汚物取り袋１（１ｂ）の折り畳み収納の仕方は多少変化することになるが、取出口４１から引き出されてきた連続体を紙製ジャケット体２０のミシン目２３で切り離すことで、個々の個別体としての汚物取り袋１（１ａ）とすることは同じである。
なお収納ケース４０は紙製とされるが、その一方で収納ケース４０の取出口４１はプラスチック製フィルム４１ａで補強された状態に構成してある。これにより、取出口４１が破損し難くなると共に、紙製ジャケット体２０をそのミシン目２３での切り取る際にも補強が効き、切り取り易くなる。
連続体とした汚物取り袋１（１ｂ）を収納ケース４０内に収めて、コンパクトに省スペースで保管することができると共に、必要な分だけ収納ケース４０から取り出し、切り取って使用に供することができるので、非常に便利である。
【００２１】
図４を参照して、個別体としての汚物取り袋１（１ａ）の使用方法の例を説明する。
まず図４（Ａ）を参照して、汚物取り袋１（１ａ）を手に取って、プラスチック製袋体１０に対してその上端１１の開口から手を差し入れる。必要に応じて、紙製ジャケット体２０の下端２２側の延長された部分を折り返す。
次に図４（Ｂ）を参照して、外側の紙製ジャケット２０の前記折り返し部分等で汚物Ｏを掴みとる。
次に図４（Ｃ）を参照して、汚物を掴んだ状態で汚物取り袋１（１ａ）をひっくり返して、プラスチック製袋体１０が表になるようにする。この状態では汚物Ｏが外部に付着することはないので持ち運べる。
次に図４（Ｄ）を参照して、汚物Ｏを包んだ紙製ジャケット体２０だけを、プラスチック製袋体１０から分離して（点接着３０を解消して）、トイレ等の下水処理施設Ｔに流す。勿論、可燃ごみとすることもできる。プラスチック製袋体１０は、プラスチックとして別途処理する。
【産業上の利用可能性】
【００２２】
本考案の汚物取り袋は、犬や猫の糞処理、介護や医療現場での汚物処理等において有用であり、産業上の利用可能性がある。
【符号の説明】
【００２３】
１          汚物取り袋
１ａ        個別体としての汚物取り袋
１ｂ        連続体としての汚物取り袋
１０        プラスチック製袋体
１１        上端
１２        下端
２０        紙製ジャケット体
２１        上端
２２        下端
２３        ミシン目
３０        点接着
４０        収納ケース
４０ａ      紙箱
４０ｂ      プラスチック袋
４１        取出口
４１ａ      プラスチック製フィルム
Ｏ          汚物
Ｔ          下水処理施設
【図１】
0003227362.tif 000003
【図２】
0003227362.tif 000004
【図３】
0003227362.tif 000005
【図４】
0003227362.tif 000006